(57)【要約】      （修正有）【課題】スマートフォン、タブレット端末、パソコン等の電子機器を組み合わせた状態で、各機器の画面を表示するためのマルチレベル電子製品補助使用ラックを提供する。【解決手段】マルチレベル電子製品補助使用ラックは、基板１と、スマートフォン、タブレット端末、パソコン等を配置し、および、これらの電子機器の画面を表示するための傾斜角が設けられているキャリアプレート２と、スマートフォン、タブレット端末、パソコンの機器の画面等を表示するためのスナップ溝を具備し、さらに、タブレット端末、キーボード等を収容するためのスペースを備えた回転足５を有する。【選択図】図１０
0003233129.tif 000002
【実用新案登録請求の範囲】
【請求項１】
基板、キャリアプレート、サポートフレーム、単数または複数のスナップ溝スイングアーム、左右対称のセット回転足のセットとアクセサリー足のセットで構成され、
前記基板は、上向きの多数のクランプスロットを備え、スマートフォン、タブレット端末を入れる横溝が縁に設けられ、一対の足溝が裏側に設けられ、前記サポートフレームを保持するブロッキングブロックが各足溝の外縁に固定され、
前記基板の上端の外縁の片側または両側に第１シャフト穴が設けられ、前記基板の裏側の中央付近にはターンテーブルが設けられ、
前記キャリアプレートは、前縁の両側に第１軸を備え、前記第１軸は、対応する第１ベアリングのセットによって固定され、回転バッフルがキャリアプレートの下端に前記第１軸方向に設けられ、
前記サポートフレームは第２のベアリングのセットを有し、
前記サポートフレームの両端をキャリアプレートの裏側の前記第１軸方向に固定し、キャリアプレートを組み合わせる場合、前記基板とキャリアプレートに有する第１ピボットポイントのネジを緩めると、サポートフレームを上げる角度を選択可能として前記基板のクランプスロットにサポートフレームを配置し、キャリアプレートに前記ノート型パソコン、前記タブレット端末を任意の角度で設置可能とし、
少なくとも１枚のスナップ溝スイングアームは、第２軸ロッドによって一端が第２シャフト穴に固定され、前記基板の上端の外縁にある第１シャフト穴で、基板の他端を回転させて外側に広くことを可能とし、スナップ溝スイングアームの上部にはスナップ溝を有し、スマートフォン、タブレット端末を下端に配置してディスプレイを支えるために使用され、
上記の一対の各回転足は、その上に水平固定部を有し、前記水平固定部の両端には、第３軸ロッドが設けられ、前記基板の裏側に第３ベアリング、第４ベアリングで固定され、回転足を前記基板の足溝に折りたたむ、または回転させて回転足を直立可能とされ、回転足は水平固定部の内縁にシュートを有し、シュートの一端は第３シャフト穴を有し、
前記左右対称アクセサリー足のセットは、回転足の水平固定部に水平セグメントを有し、水平セグメントが回転足に接続され、
回転足のシュートの第３シャフト穴は、第４シャフト穴に対応し、アクセサリー足の水平セグメントは、回転足の水平固定部のシュート内にスリーブされ、内側アクセサリー足から回転足を引き出し、押し込みを可能としたことを特徴とするマルチレベル電子製品補助使用ラック。
【請求項２】
前記基板の裏側に設けられたブロッキングブロックには、縦穴が設けられ、前記基板に対応する位置で第１軸ロッドにキャッチブロックが前後に移動可能とし、
前記回転足が直立状態で回転するときに前方に移動して回転足が固定されることを特徴とする請求項１に記載のマルチレベル電子製品補助使用ラック。
【請求項３】
前記回転足のシュートの第３シャフト穴とアクセサリー足の水平セグメント内の第４シャフト穴に金属シャフトスリーブを挿入した第１軸ロッドを固定したことを特徴とする請求項１に記載のマルチレベル電子製品補助使用ラック
【請求項４】
前記アクセサリー足は、サポートアームの第２軸で固定し、前記サポートアームは、回転足から引き抜くと回転して外れることを特徴とする請求項１に記載のマルチレベル電子製品補助使用ラック。
【考案の詳細な説明】
【技術分野】
【０００１】
本考案は、複数の電子製品を同時に使用および收納するための補助デバイスであるマルチレベルの電子製品補助使用ラックに関する。
【背景技術】
【０００２】
現代社会は、情報化が進行しており、情報化社会の中で、特に、人気のある３Ｃ製品であるコンピュータ（Ｃｏｍｐｕｔｅｒ）、通信（Ｃｏｍｍｕｎｉｃａｔｉｏｎ）および家庭用電化製品（Ｃｏｎｓｕｍｅｒ  Ｅｌｅｃｔｒｏｎｉｃ）といった製品群を、世界中の多くの人が使用している。これらの製品群は、仕様が厳密で、代替品が多く、製品ライフサイクルが短いという特徴があり、そのため、近年、多くのメーカーが製造またはマーケティングに参加しており、このような状況を鑑みて、本考案は、これらの情報機器等の電子製品を使用する為の補助を行うラックに関するものである。
【先行技術文献】
【特許文献】
【０００３】
【特許文献１】１、ＴＷ  Ｍ５９６８９０  （ＵＳ  Ｓｅｒｉａｌ  Ｎｏ．  １６／５５３，３１６）
【特許文献２】２、ＴＷ  Ｍ５９６８８９  （ＵＳ  Ｓｅｒｉａｌ  Ｎｏ．  １６／５５３，３２１）
【考案の概要】
【考案が解決しようとする課題】
【０００４】
現代の情報化時代における多くの人々は、スマートフォン（Ｓｍａｒｔｐｈｏｎｅ）、タブレット端末（Ｐａｄ）、パーソナルコンピュータ（以下パソコン）であって、特にノート型（Ｎｏｔｅｂｏｏｋ）等の薄型パソコン、タブレット端末（Ｐａｄ）と小型の手のひらに乗るスマートフォンといった電子機器をモバイルブロードバンドまたはワイヤレスブロードバンドを介してインターネットに接続して、情報化社会に対応している。
【０００５】
上記のスマートフォン、タブレット端末、ノート型パソコンを含むパソコンは、すべて、通話、写真、音、ビデオの再生、インターネットアクセス、プログラムの実行、および保存といった機能を備えているものが多い。そのため、パソコンと携帯電話には明確な差がなくなってきており、これらの製品をモバイル情報電子製品と呼ぶ場合も存在する。
【０００６】
しかしながら、スマートフォン、タブレット端末、ノート型パソコン等のパソコンは、外形等が物理的に小型化されている為、各機器を配置するレイアウト等が制限されており、その為、これら機器への入力方法に不便が生じている。
したがって、使用時には、上記モバイル情報電子機器群は、通常、入力ツールとして有線または無線の標準キーボードに接続され、デスクワークといった卓上での使用を可能としている場合がある。
【０００７】
さらに、これらのモバイル情報電子製品を卓上で使用する場合、スマートフォン、タブレット端末、ノート型パソコンを含むパーソナルコンピュータは、混合して使用されることもある。これらの機器を使用する際には、作業性向上、疲労感低減の為にも、より、人間工学に適し、特に、視覚的な表示角度を得られるようにするため、適切に隆起し傾斜した角度を設定して使用する必要がある。
【０００８】
上述したように、多くのコンピュータ辺機器を同時に机の上に置く為には、スペースが必要になり、また、多くの機器を置くと机上が乱雑になる。そのため、使用の有無にかかわらず、ほとんどの商品は使用、保管の際に収納の問題が生じる。この問題を解決するための考案がなされてきたが、さらなる改良を図ったのが本考案である。
【課題を解決するための手段】
【０００９】
従来のパソコン等を、周辺機器と組み合わせて使用した場合の煩雑な占有率の高さと、保管の難しさに鑑みて、前述の２つの問題を解決するために、本考案の電子製品の補助使用ラックを開発した。
即ち、本考案は、スマートフォン、タブレット端末、パソコン等の電子機器を組み合わせた状態で、各機器の画面を表示するための補助使用ラックに関する。本考案は、上述の電子製品群は全体として、使いやすくデスクトップスペースを節約し、保管の容易性を提供するものである。
【００１０】
本考案の電子製品補助使用ラックは、スマートフォン、タブレット端末、パソコン等を組み合わせて各機器の画面を表示するためのデバイスであって、基板と、上述のスマートフォン、タブレット端末、パソコン等を配置し、および、これらの電子機器の画面を表示するための、（隆起した）傾斜角が設けられているキャリアプレートと、スマートフォン、タブレット端末、パソコンを水平な位置に配置し、これらの機器の画面等を表示するためのスナップ溝を具備し、さらに、タブレット端末、キーボード等を収容するためのスペースを備えた回転足を有することが特徴である。
本考案によれば、さらに、回転足を延長して補助回転足を引き出すことができるため、マルチレベルの収容スペースが生成され、デスクトップスペースを節約するための便利で実用的なデバイスであるマルチレベルの電子製品補助使用ラックが提供される。
【００１１】
このマルチレベル電子製品補助使用ラックには、回転足の片側で前後に移動できる戻り止めブロッキングブロックがあり、回転足が回転しているときに戻り止めを移動して、回転足をロックする機構となっており、このような機構とすることにより、位置を安定させ、元の位置に戻るのを防いでいる。  
【００１２】
次に、補助使用ラックが使用中に回転し、表示角度を調整するために、基板の背面にターンテーブルのセットを固定する。
【００１３】
マルチレベル電子製品補助使用ラックは、回転足と伸縮自在のアクセサリー足の間に金属製のスライドバーが配置され、アクセサリー足を回転足のシュート内でより安定してスムーズな上下方向へのスライドを可能にしている。
さらに、アクセサリー足の片側を軸で固定してサポートアームを固定し、サポートアームを回転させて外に出すことを可能にしている。
【考案の効果】
【００１４】
本考案に係るマルチレベル電子製品補助使用ラックは、上記の構造に基づいており、スマートフォン、タブレット端末、パソコン等を組み合わせたディスプレイ用に設計された補助デバイスであり、全体として、デスクトップスペースを節約する便利で実用的なデバイスを提供する。
【図面の簡単な説明】
【００１５】
【図１】本考案の一実施形態における、折りたたんだ状態での裏側の立体図である。
【図２】本考案の一実施形態における、回転足を示す立体図である。
【図３】本考案の一実施形態における、立体図である。
【図４】本考案の一実施形態における、裏面側の回転足そしてブロッキングブロック示す底面図である。
【図５】本考案の一実施形態における、回転足及びアクセサリー足を引き抜いた状態を示す立体図である。
【図６】本考案の一実施形態における、回転足及びアクセサリー足を引き抜いた状態を示す裏側の立体図である。
【図７】本考案の一実施形態における、主要コンポーネントの分解斜視図である。
【図８】本考案の一実施形態における、キャリアプレートを示す立体図である。
【図９】本考案の一実施形態における、アクセサリー足を引き出し、スナップ溝を広げてスマートフォンに配置し、キーボードを配置した使用状態を示す説明図である。
【図１０】本考案の一実施形態における、アクセサリー足を引き出し、ノートコンピュータをキャリアプレートに置き、スナップ溝を広げてスマートフォンに配置し、キーボードを配置した使用状態を示す説明図である。
【図１１】図１０の別使用状態を示す説明図である。
【考案を実施するための形態】
【００１６】
本考案の一実施形態における位置、方向についての定義付けとして、前側とは、本考案のマルチレベル電子製品補助使用ラックをユーザー側、即ちユーザーにとって手前側を意味し、後側とは、ユーザーから見て奥側を意味し、横側とは、ユーザーからマルチレベル電子製品補助使用ラックを見て左右方向を意味し、マルチレベル電子製品補助使用ラックの上面側とは天方向を意味し、裏面側とは地面方向、即ち机等と接する側を意味する。
図１〜７に示すように、本考案のマルチレベル電子製品補助使用ラックは、主に基板（１）、キャリアプレート（２）、サポートフレーム（３）、および単数または複数のスナップ溝スイングアーム（４）、左右対称のセット回転足（５）のセットとアクセサリー足（６）のセットで構成される。
【００１７】
上記の基板（１）は、図７、８で示すように上面側には、複数の段が設けられたクランプスロット（１１）を備え、このクランプスロット（１１）の複数設けられた段と段の間に、サポートフレーム（３）が嵌められ、キャリアサポート（２）の裏面側に設置された第２ベアリング（３１）とサポートフレーム（３）の両端が係合していることによって、サポートフレーム（３）が立ち上がった状態になり、サポートフレーム（３）が、図８に示すように前記キャリアプレート（２）を任意の位置で傾斜させた状態で係止するようになっている。
基板（１）の前側には、スマートフォン、タブレット端末等を設置するための横溝（１２）が設けられ、図６に示すように基板（１）の裏面側には一対の足溝（１３）が設けられ、さらに基板（１）の裏面側には、回転足（５）が直立状態から回転するときに前方に移動して回転足（５）をロックし、安定して固定される。回転足（５）の直立、起立状態が解除されるのを防止するブロッキングブロック（１４）が設けられ、ブロッキングブロック（１４）が各足溝（１３）の外側に固定され、このブロッキングブロック（１４）には、縦穴（１４１）が設けられ、基板（１）の対応する位置で第１軸ロッド（１４２）にブロッキングブロック（１４）が前後に移動できるようになる。
図７に示すように、基板（１）の上面側であって、後側には、片側または両側に、タブレット端末、スマートフォンを置く為のスナップ溝スイングアーム（４）を支持するための第１シャフト穴（１５）が設けられ、この第１シャフト穴（１５）には、第２軸ロッド（４１）の下側が係合され、第２軸ロッド（４１）の上側がスナップ溝スイングアーム（４）の端部に設けられた第２シャフト穴（１５）に係合されることによって、スイングアーム（４）は基板（１）に軸支され、図８に示すように、スナップ溝スイングアーム（４）が回動可能となり、使用状態、即ち、外方向に広げた状態になる。なお、この第２軸ロッド（４１）の断面がT字型に形成されており、一端側、即ち上端側には、抜け止めが設けられている。
図２、６、７に示すように、基板（１）の裏面の中央近くにはターンテーブル（１６）が設けられている。このターンテーブル（１６）は、回転する回転足（５）を緩めない場合にサポートフレーム（３）を回転させてキャリアプレート（２）の角度を調整可能となっている。
【００１８】
図７に示すように、キャリアプレート（２）は、パソコン等を置くスペースで、基板（１）の上面側に設けられ、キャリアプレート（２）の前側の両側には、第１軸（２１）を備え、この第１軸（２１）には、第１ベアリング（２２）が接続され、この第１ベアリング（２２）によって、キャリアプレート（２）は軸支され、キャリアプレート（２）の特に、後側方向が基板（１）に対して持ち上がるような傾斜角を付けることが可能になり、このような機構とすることによって、パソコンの画面の視認性向上、操作性を向上させている。
キャリアプレート（２）の前側には、キャリアプレート（２）を傾斜させた際に同キャリアプレート（２）に載せたパソコン等の落下を防止するための回転バッフル（２３）が設けられている。
【００１９】
図７に示すように、基板（１）とキャリアプレート（２）の後側寄りは、第１ピボットポイントネジが貫通するような形で設けられ、この第１ピボットポイントネジの上側は、下側に比べて径が太く、つまみが設けられるなどがされており、キャリアプレート（２）の上面から露出するような状態になっている。
マルチレベル電子製品補助使用ラックを使用しない状態、即ち収納状態では、第１ピボットポイントネジでキャリアプレート（２）は、基板（１）と固定され、キャリアプレートが基板（１）に対し、傾斜角を有しない状態になっている。
キャリアプレート（２）から露出している第１ピボットポイントのネジ（つまみ）を緩めると、サポートフレーム（３）を立ち上げ可能となり、キャリアプレート（２）を任意の角度で選択可能となり、基板（１）のクランプスロット（１１）にサポートフレーム（３）を配置し、これによって、キャリアプレート（２）上に設置したパソコン、タブレット端末等のディスプレイの傾斜角が変化し、画面等を任意の角度に設定可能にしている。
【００２０】
図８〜１１に示すように、スナップ溝スイングアーム（４）の上部には、スナップ溝（４３）があり、スマートフォン、タブレット端末等を設置可能にしている。
【００２１】
図７に示すように、基板１の下側には、スマートフォン、タブレット端末、パソコン等をマルチレベル電子製品補助使用ラックに設置した際に、基板（１）、キャリアプレート（２）の高さを上げる場合に使用する回転足（５）が設けられている。
回転足（５）は、上部に電子機器操作用等のキーボード（１０）、タブレット端末等が設置できる第１収容スペース（５７）を有し、水平固定部（５１）を有し、水平固定部（５１）の両端には、第３軸ロッド（５２）が設けられ、基板（１）の裏側に第３ベアリング（５３）、第４ベアリング（５４）で固定されている。
マルチレベル電子製品補助使用ラック収納時には、回転足（５）を基板（１）に設けた、図６に図示した足溝（１３）に折りたたみ、図５に示すように使用時には、必要に応じて、回転足（５）を回転させることによって、約９０度直立させて使用する。
【００２２】
回転足（５）は水平固定部（５１）の内側にはシュート（５５）を有し、シュート（５５）の一端は第３シャフト穴（５６）を有し、第３シャフト穴の中は金属製シャフトスリーブ（５８）を有する。  
【００２３】
図５〜８に示すように、回転足（５）の下側には、スマートフォン、タブレット端末、パソコン等をマルチレベル電子製品補助使用ラックに設置した際に、基板（１）、キャリアプレート（２）の高さを、さらに上げて使用する際に使用するアクセサリー足（６）を有し、回転足（５）の水平固定部（５１）には、水平セグメント（６１）を有し、水平セグメント（６１）が回転足に接続され、回転足（５）シュート（５５）の第３シャフト穴（５６）は、第４シャフト穴（６２）に接続される。アクセサリー足（６）の水平セグメント（６１）は、回転足（５）の水平固定部（５１）のシュート（５５）内に収納され、内側アクセサリー足（６）から回転足（５）で引き出し、また、押し込むようにして使用される。
【００２４】
図７に示すように、回転足（５）のシュート（５５）の第３シャフト穴（５６）とアクセサリー足（６）の水平セグメント（６１）内の第４シャフト穴（６２）に、金属シャフトスリーブ（５８）を挿入した金属第１軸ロッド（６３）を固定している。この構成により、アクセサリー足（６）は、回転足（５）から滑らに引き出し、または、押し込むことが可能になって耐摩耗性を高めている。
【００２５】
図６、７に示すように、アクセサリー足（６）は、アクセサリー足（６）を伸ばした状態で使用する際に、アクセサリー足（６）が下がるのを防止するためのサポートアーム（６５）を有している。このサポートアーム（６５）の片方の端部には、第２軸（６４）を有し、サポートアーム（６５）を軸支し、サポートアーム（６５）は、アクセサリー足（６）を縮めている時は、アクセサリー足（６）に倒した状態で収納させ、アクセサリー足（６）を伸ばして使用する際は、起立させ、第２軸（６４）とサポートアーム（６５）によって、アクセサリー足（６）を支え、支持効果を高め、下がるのを防いでいる。
【００２６】
本考案の一実施形態によるマルチレベル電子製品補助使用ラックは、使用していない時は、図１に示すように、キャリアプレート（２）、スナップ溝スイングアーム（４）、回転足（５）、アクセサリー足（６）を折りたたむことが可能であるため、非常にコンパクトになるので、収納時、輸送時に適したものである。
また、使用時には、図１０、１１等に示すように、キャリアプレート（２）の上部に露出した第１ピボットポイントネジを緩めて、キャリアプレート（２）を任意の位置で傾斜させ、固定し、タブレット端末、パソコン等を配置し、スナップ溝スイングアーム（４）を左右方向に広げて、スマートフォン、タブレット端末を設置し、画面を表示し、視認、操作することが可能である。
また、回転足（５）を広げたり、アクセサリー足（６）を引き出したり、キーボード（１０）または、タブレット端末をキャリアプレートの下２つの脚の第１収容スペース（５７）、第２収容スペース（６６）に配置したりできる。
本考案によるマルチレベル電子製品補助使用ラックによれば、収納時はコンパクトに収まり、使用時は、卓上の使用面積を節約し、整頓された卓上での電子機器類の操作が可能となる。
本考案は、前述した実施形態に限られることなく、請求の範囲及び明細書全体、図面から読み取れる考案の要旨、思想に反しない範囲で適宜変更可能である。
【符号の説明】
【００２７】
（１）基板
（１１）クランプスロット
（１２）横溝
（１３）足溝
（１４）ブロッキングブロック
（１４１）縦穴
（１４２）第１軸ロッド
（１５）第１シャフト穴
（１６）ターンテーブルのセット
（２）キャリアプレート
（２１）第１軸
（２２）第１ベアリング
（２３）回転バッフル
（３）サポートフレーム
（３１）第２ベアリング
（４）スナップ溝スイングアーム
（４１）第２軸ロッド
（４２）第２シャフト穴
（４３）スナップ溝
（５）    回転足
（５１）水平固定部
（５２）第３軸ロッド
（５３）第３ベアリング
（５４）第４ベアリング
（５５）シュート
（５６）第３シャフト穴
（５７）第１収容スペース
（５８）金属シャフトスリーブ
（６）    アクセサリー足
（６１）水平セグメント
（６２）第４シャフト穴
（６３）金屬第１軸ロッド
（６４）第２軸
（６５）サポートアーム
（６６）第２収容スペース
（７）ノートパソコン
（８）タブレット端末
（９）スマートフォン
（１０）キーボード
【図１】
0003233129.tif 000003
【図２】
0003233129.tif 000004
【図３】
0003233129.tif 000005
【図４】
0003233129.tif 000006
【図５】
0003233129.tif 000007
【図６】
0003233129.tif 000008
【図７】
0003233129.tif 000009
【図８】
0003233129.tif 000010
【図９】
0003233129.tif 000011
【図１０】
0003233129.tif 000012
【図１１】
0003233129.tif 000013
【手続補正書】
【提出日】令和3年5月18日(2021.5.18)
【手続補正１】
【補正対象書類名】実用新案登録請求の範囲
【補正対象項目名】全文
【補正方法】変更
【補正の内容】
【実用新案登録請求の範囲】
【請求項１】
基板、キャリアプレート、サポートフレーム、単数または複数のスナップ溝スイングアーム、左右対称のセット回転足のセットとアクセサリー足のセットで構成され、
前記基板は、上向きの多数のクランプスロットを備え、スマートフォン又はタブレット端末の少なくとも一方を入れる横溝が縁に設けられ、一対の足溝が裏側に設けられ、前記サポートフレームを保持するブロッキングブロックが各足溝の外縁に固定され、
前記基板の上端の外縁の片側または両側に第１シャフト穴が設けられ、前記基板の裏側の中央付近にはターンテーブルが設けられ、
前記キャリアプレートは、前縁の両側に第１軸を備え、前記第１軸は、対応する第１ベアリングのセットによって固定され、回転バッフルがキャリアプレートの下端に前記第１軸方向に設けられ、
前記サポートフレームは第２のベアリングのセットを有し、
前記サポートフレームの両端をキャリアプレートの裏側の前記第１軸方向に固定し、キャリアプレートを組み合わせる場合、前記基板とキャリアプレートに有する第１ピボットポイントのネジを緩めると、サポートフレームを上げる角度を選択可能として前記基板のクランプスロットにサポートフレームを配置し、キャリアプレートにノート型パソコン、前記タブレット端末を任意の角度で設置可能とし、
少なくとも１枚のスナップ溝スイングアームは、第２軸ロッドによって一端が第２シャフト穴に固定され、前記基板の上端の外縁にある第１シャフト穴で、基板の他端を回転させて外側に広くことを可能とし、スナップ溝スイングアームの上部にはスナップ溝を有し、スマートフォン又はタブレット端末の少なくとも一方を下端に配置してディスプレイを支えるために使用され、
上記の一対の各回転足は、その上に水平固定部を有し、前記水平固定部の両端には、第３軸ロッドが設けられ、前記基板の裏側に第３ベアリング、第４ベアリングで固定され、回転足を前記基板の足溝に折りたたむ、または回転させて回転足を直立可能とされ、回転足は水平固定部の内縁にシュートを有し、シュートの一端は第３シャフト穴を有し、
前記左右対称アクセサリー足のセットは、回転足の水平固定部に水平セグメントを有し、水平セグメントが回転足に接続され、
回転足のシュートの第３シャフト穴は、第４シャフト穴に対応し、アクセサリー足の水平セグメントは、回転足の水平固定部のシュート内にスリーブされ、内側アクセサリー足から回転足を引き出し、押し込みを可能としたことを特徴とするマルチレベル電子製品補助使用ラック。
【請求項２】
前記基板の裏側に設けられたブロッキングブロックには、縦穴が設けられ、前記基板に対応する位置で第１軸ロッドにキャッチブロックが前後に移動可能とし、
前記回転足が直立状態で回転するときに前方に移動して回転足が固定されることを特徴とする請求項１に記載のマルチレベル電子製品補助使用ラック。
【請求項３】
前記回転足のシュートの第３シャフト穴とアクセサリー足の水平セグメント内の第４シャフト穴に金属シャフトスリーブを挿入した第１軸ロッドを固定したことを特徴とする請求項１に記載のマルチレベル電子製品補助使用ラック
【請求項４】
前記アクセサリー足は、サポートアームの第２軸で固定し、前記サポートアームは、回転足から引き抜くと回転して外れることを特徴とする請求項１に記載のマルチレベル電子製品補助使用ラック。